(57)【要約】【課題】複数の電線を接続する際に、圧着作業を補佐する作業員の怪我を防止することができ、作業時の安全性を高めることが可能な圧縮ダイスを提供することを目的とする。【解決手段】本発明にかかる圧縮ダイス（第１圧縮ダイス１２０）の構成は、圧縮工具１００に取り付けられてスリーブ１０４を圧縮する圧縮ダイスであって、圧縮工具１００の本体部１１０に固定される台座１３０と、台座１３０にスライド可能に固定されスリーブ１０４を圧縮する圧縮部１４０と、圧縮部１４０をスリーブ１０４に対して付勢する弾性部材１５０と、を備えることを特徴とする。【選択図】  図２
2019155452.tif 000002
【特許請求の範囲】
【請求項１】
圧縮工具に取り付けられてスリーブを圧縮する圧縮ダイスであって、
前記圧縮工具に固定される台座と、
前記台座にスライド可能に固定され前記スリーブを圧縮する圧縮部と、
前記圧縮部をスリーブに対して付勢する弾性部材と、
を備えることを特徴とする圧縮ダイス。
【請求項２】
スリーブを圧縮する圧縮工具であって、
一対の圧縮ダイスの少なくとも一方に請求項１に記載の圧縮ダイスを用いることを特徴とする圧縮工具。
【発明の詳細な説明】
【技術分野】
【０００１】
本発明は、スリーブを圧縮する圧縮ダイス、およびかかる圧縮ダイスが取り付けられる圧縮工具に関するものである。
【背景技術】
【０００２】
電気事業者の発電所で発電され変電所で変電された電気は、電柱に張架されている高圧線を通じて送電される。その後、電柱に装柱された変圧器によって、送電時の電圧（例えば６６００Ｖ）から、需要家で使用する電圧（例えば１００Ｖまたは２００Ｖ）に変圧され、低圧本線から引き込み線を通じて需要家に供給される。
【０００３】
変圧器と低圧本線は引き上げ線を介して接続される。詳細には、変圧器側では、二次側リード線が延出している。これに、低圧本線までの引き上げ線を接続する。それらを接続する際には、二次側リード線および引き上げ線被覆を部分的に剥ぎ取って芯線を露出させ、かかる芯線をスリーブと呼ばれる金属製のＣ型筒状部材の両側から各々挿入し重ねあわせる。その後、スリーブを圧着することにより、二次側リード線および引き上げ線が接続される。
【０００４】
上述したスリーブを圧着する工具としては、特許文献１の油圧式圧縮工具を挙げることができる。特許文献１の油圧式圧縮工具は、油圧源（コンプレッサ）から作動油が送られてピストンが動作する、いわゆる自動式の圧縮工具である。
【０００５】
上述したスリーブとしては、例えば特許文献２のようなＣ型スリーブ油圧圧縮工具が挙げられる。特許文献２では、圧縮ヘッドとピストンとの間にＣ型スリーブを配置し、Ｃ型スリーブの内部に分岐電線と電線とを挿入する。そして、ハンドルと本体とを接近させることにより、圧縮ヘッドとピストンとによってＣ型スリーブが圧縮され、分岐電線および電線が固定される。
【先行技術文献】
【特許文献】
【０００６】
【特許文献１】特開平１１−２５１０３０号公報
【特許文献２】特開２０１０−２２８０８３号公報
【発明の概要】
【発明が解決しようとする課題】
【０００７】
特許文献２においても記載されているように、圧縮工具を用いて複数の電線を接続する作業は、２人の作業員によって行われることが一般的である。このとき、一方の作業員は、スリーブが圧縮工具から抜け落ちないようスリーブを支持する。他方の作業員は、ハンドルを把持してスリーブの圧着作業を行う。
【０００８】
圧着作業をする他方の作業員の指が圧縮工具に挟まるのを防止するために、特許文献２の油圧圧縮工具では、本体においてハンドルが揺動可能に支持される支持部分を圧縮工具カバーによって覆っている。特許文献２の技術によれば、複数の電線を接続する作業に従事する２人の作業員のうち、圧着作業を行う作業員（他方の作業員）の怪我を防止できるものと考えられる。
【０００９】
しかしながら、特許文献２の技術では、圧着作業を行う作業員の怪我は防止できるものの、スリーブを支持している作業員、圧着作業を補佐している作業員である一方の作業員の安全に対しては何ら考慮されていない。このため、仮に２人の作業員の連携が十分に取れていない場合、他方の作業員がスリーブを圧着しようとした際に、一方の作業員の指が圧着工具に挟まってしまうおそれがある。
【００１０】
本発明は、このような課題に鑑み、複数の電線を接続する際に、圧着作業を補佐する作業員の怪我を防止することができ、作業時の安全性を高めることが可能な圧縮ダイスおよび圧縮工具を提供することを目的としている。
【課題を解決するための手段】
【００１１】
上記課題を解決するために、本発明にかかる圧縮ダイスの代表的な構成は、圧縮工具に取り付けられてスリーブを圧縮する圧縮ダイスであって、圧縮工具に固定される台座と、台座にスライド可能に固定されスリーブを圧縮する圧縮部と、圧縮部をスリーブに対して付勢する弾性部材と、を備えることを特徴とする。
【００１２】
上記構成によれば、弾性部材によって圧縮部がスリーブに対して付勢されることにより、スリーブは圧縮部に仮保持される。これにより、圧縮作業を補佐する作業員は、圧縮作業を行う際にスリーブを保持する必要がなくなる。このため、その作業員は、圧縮作業時に指を挟まれることがない。したがって、圧縮作業を補佐する作業員の怪我を防止することができ、作業時の安全性を高めることが可能となる。
【００１３】
上記課題を解決するために、本発明にかかる圧縮工具の代表的な構成は、スリーブを圧縮する圧縮工具であって、一対の圧縮ダイスの少なくとも一方に上記の圧縮ダイスを用いることを特徴とする。上述した圧縮ダイスにおける技術的思想に対応する構成要素やその説明は、当該圧縮工具にも適用可能である。
【発明の効果】
【００１４】
本発明によれば、複数の電線を接続する際に、圧着作業を補佐する作業員の怪我を防止することができ、作業時の安全性を高めることが可能な圧縮ダイスおよび圧縮工具を提供することができる。
【図面の簡単な説明】
【００１５】
【図１】本実施形態にかかる圧縮工具を示す図である。
【図２】図１に示す圧縮ダイスを説明する図である。
【図３】本実施形態の圧縮工具の使用方法を説明する図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
図１は、本実施形態にかかる圧縮工具１００を示す図である。以下、図１に示す圧縮工具１００について詳述しつつ、本実施形態にかかる圧縮ダイス（後述する第１圧縮ダイス１２０）についても併せて説明する。
【００１８】
図１に示す圧縮工具１００は、複数の電線１０２が挿通されたスリーブ１０４を圧縮する工具である。図１に示すように、本実施形態の圧縮工具１００は、本体部１１０を有し、２つの圧縮ダイスである第１圧縮ダイス１２０および第２圧縮ダイス１６０が本体部１１０に取り付けられる。
【００１９】
図２は、図１に示す圧縮ダイスを説明する図である。図２（ａ）は、圧縮ダイスの全体斜視図であり、図２（ｂ）は、図２（ａ）の第１圧縮ダイス１２０の断面斜視図である。図２（ａ）に示す２つの圧縮ダイスのうち、第１圧縮ダイス１２０は本発明を適用した圧縮ダイスであり、第２圧縮ダイス１６０は従来品、すなわち本発明を適用したものではない。したがって、本実施形態では、まず第２圧縮ダイス１６０について説明した後に第１圧縮ダイス１２０について説明する。
【００２０】
図２（ａ）に示す第１圧縮ダイス１２０および第２圧縮ダイス１６０は、圧縮工具１００の本体部１１０に取り付けられてスリーブ１０４を圧縮する。第２圧縮ダイス１６０は、半円筒形状の部材であり、挟持部１６２、段差部１６４および規制溝１６６を有する。
【００２１】
挟持部１６２は、スリーブ１０４が挿通される挟持溝１６２ａを有する。段差部１６４は、第２圧縮ダイス１６０の平坦面１６０ａと外周面１６０ｂとの境界に形成された段差である。第２圧縮ダイス１６０を本体部１１０に対して横方向にスライドさせることにより、本体部１１０の係合部１１２ｂ（図１参照）が段差部１６４に係合する。これにより、第２圧縮ダイス１６０が本体部１１０に取り付けられる。
【００２２】
規制溝１６６は、第２圧縮ダイス１６０の外周面１６０ｂに形成される溝である。後述する規制部材が規制溝１６６に嵌めこまれることにより、本体部１１０に対する第２圧縮ダイス１６０の横方向のスライド移動が規制される。
【００２３】
次に、本実施形態の圧縮ダイスである第１圧縮ダイス１２０について説明する。図２（ａ）に示すように、第１圧縮ダイス１２０は、台座１３０、圧縮部１４０および弾性部材１５０を有する。台座１３０は、圧縮部１４０および弾性部材１５０を保持し、圧縮工具１００の本体部１１０（図１参照）に固定される。
【００２４】
台座１３０は、スライド穴１３２、段差部１３４および規制溝１３６を有する。スライド穴１３２は、後述する圧縮部１４０の挿通孔１４４に対応する位置に形成された長穴である。スライド穴１３２および圧縮部１４０の挿通孔１４４にピン１３８を挿通することにより、圧縮部１４０が台座１３０にスライド可能に固定される。
【００２５】
段差部１３４は、一対のスライド穴１３２それぞれの上方および下方に形成された段差である。台座１３０を本体部１１０に対して横方向にスライドさせることにより、本体部１１０の係合部１１２ａ（図１参照）が段差部１３４に係合する。これにより、台座１３０ひいては第１圧縮ダイス１２０が本体部１１０に取り付けられる。
【００２６】
規制溝１３６は、台座１３０の外周面１３０ｂに形成される溝である。後述する規制部材が規制溝１３６に嵌めこまれることにより、本体部１１０に対する台座１３０ひいては第１圧縮ダイス１２０の横方向のスライド移動が規制される。また図２（ｂ）に示すように、台座１３０の圧縮部１４０と対向する面には、弾性部材１５０が配置される切欠１３９が形成されている。
【００２７】
圧縮部１４０は、ピン１３８によって台座１３０にスライド可能に固定され、スリーブ１０４を圧縮する。詳細には、圧縮部１４０は、挟持部１４２、挿通孔１４４および切欠１４６を有する。挟持部１４２は、スリーブ１０４が挿通される挟持溝１４２ａを有する。挿通孔１４４は、圧縮部１４０の側面１４０ａに形成された孔であり、上述したピン１３８が挿通される。切欠１４６は、台座１３０と対向する面に形成されていて、ここに弾性部材１５０が配置される。
【００２８】
弾性部材１５０は、台座１３０の切欠１３９から圧縮部１４０の切欠１４６にわたって配置され、圧縮部１４０をスリーブ１０４に対して付勢する。本実施形態では、弾性部材１５０としてバネを例示している。ただし、これに限定するものではなく、既知の他の部材を弾性部材として採用することも可能である。
【００２９】
図３は、本実施形態の圧縮工具１００の使用方法を説明する図である。理解を容易にするために、図３（ａ）〜（ｃ）では、図２（ａ）のＡ−Ａ断面位置での状態を示している。上述したように、本実施形態の圧縮工具１００では、図２（ａ）の台座１３０および第２圧縮ダイス１６０は、本体部１１０に対して横方向にスライド移動させることにより本体部１１０に取り付けられる。そして、図３（ａ）に示す規制部材１７０によって台座１３０および第２圧縮ダイス１６０の横方向のスライドを規制する。
【００３０】
本実施形態の圧縮工具１００では、第２圧縮ダイス１６０は本体部１１０に対して移動せず、第１圧縮ダイス１２０の圧縮部１４０は本体部１１０に対して移動する。詳細には、まず図３（ａ）に示すように、圧縮部１４０を台座１３０に向かって押し込むと、ピン１３８が台座１３０のスライド穴１３２内を移動し、挿通孔１４４（図２（ｂ）参照）にスライド穴１３２が挿通されている圧縮部１４０が台座１３０に向かって移動する。このとき、弾性部材１５０は収縮した状態である。
【００３１】
図３（ａ）に示すように圧縮部１４０を台座１３０に向かって押し込んだら、第２圧縮ダイス１６０の挟持部１６２と圧縮部１４０の挟持部１４２との間に、複数の電線１０２が挿通されたスリーブ１０４を配置する。そして、押し込んだ圧縮部１４０を解放すると、弾性部材１５０が圧縮部１４０をスリーブ１０４に対して付勢する。これにより、図３（ｂ）に示すように、圧縮部１４０の挟持溝１４２ａがスリーブ１０４に当接し、第２圧縮ダイス１６０の挟持部１６２と圧縮部１４０の挟持部１４２とによってスリーブ１０４が挟持される。
【００３２】
上記構成によれば、弾性部材１５０によって圧縮部１４０をスリーブ１０４に対して付勢することにより、第２圧縮ダイス１６０および圧縮部１４０によってスリーブ１０４を挟持して仮保持することができる。したがって、圧縮作業を補佐する作業員は、スリーブ１０４を保持する必要がなくなる。
【００３３】
図３（ｂ）に示すように第２圧縮ダイス１６０および圧縮部１４０によってスリーブ１０４を仮保持したら、油圧ポンプ（不図示）によって圧縮工具１００の内部にオイルを充填する。これにより、第１圧縮ダイス１２０の台座１３０が第２圧縮ダイス１６０に徐々に近接する。近接するにしたがって弾性部材１５０が圧縮され、いずれ台座１３０が圧縮部１４０に当接し、さらに台座１３０が圧縮部１４０を押す。そして、図３（ｃ）に示すように、第２圧縮ダイス１６０の挟持部１６２および圧縮部１４０の挟持部１４２によってスリーブ１０４が圧縮され、複数の１０２の接続作業が完了する。
【００３４】
上記説明したように、本実施形態の圧縮工具１００では、図３（ｂ）に示すように圧縮部１４０および第２圧縮ダイス１６０によってスリーブ１０４を仮保持されるため、図３（ｃ）に示すように圧縮作業を行う際に作業員がスリーブ１０４を保持する必要がない。このため、圧縮作業時に圧縮部１４０および第２圧縮ダイス１６０によって作業員の指が挟まれることがない。したがって、圧縮作業を補佐する作業員の怪我を防止することができ、作業時の安全性を高めることが可能となる。
【００３５】
なお、本実施形態では、圧縮工具１００が備える２つ（一対）の圧縮ダイスのうち、第１圧縮ダイス１２０のみに本発明を適用する構成を例示した。ただし、これに限定するものではなく、第２圧縮ダイス１６０に本発明を適用してもよいし、第１圧縮ダイス１２０および第２圧縮ダイス１６０の両方に本発明を適用することも可能である。
【００３６】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３７】
本発明は、スリーブを圧縮する圧縮ダイス、およびかかる圧縮ダイスが取り付けられる圧縮工具として利用することができる。
【符号の説明】
【００３８】
１００…圧縮工具、１０２…電線、１０４…スリーブ、１１０…本体部、１１２ｂ…係合部、１２０…第１圧縮ダイス、１３０…台座、１３０ｂ…外周面、１３２…スライド穴、１３４…段差部、１３６…規制溝、１３８…ピン、１３９…切欠、１４０…圧縮部、１４０ａ…側面、１４２…挟持部、１４２ａ…挟持溝、１４４…挿通孔、１４６…切欠、１５０…弾性部材、１６０…第２圧縮ダイス、１６０ａ…平坦面、１６０ｂ…外周面、１６２…挟持部、１６２ａ…挟持溝、１６４…段差部、１６６…規制溝、１７０…規制部材
【図１】
2019155452.tif 000003
【図２】
2019155452.tif 000004
【図３】
2019155452.tif 000005